Podtech/llm-jp-corpus-v4-ja_patent huggingface dataset:
(57)【要約】      （修正有）【課題】素早く綺麗にヒゲを剃ることができるひげそり用補助スポンジ及びひげそり用補助スポンジ付カミソリを提供する。【解決手段】スポンジに、ひげそり用化粧剤を含浸し、一面に面着部材が設ける。Ｔ字状カミソリのヘッドと柄をつなぐ顎の部分にスポンジを一体的に取付ける。【選択図】図２
0003163456.tif 000002
【実用新案登録請求の範囲】
【請求項１】
カミソリ刃が設けられたヘッドと柄からなる携帯用Ｔ字状カミソリのヘッドと柄をつなぐ顎の部分に取付けるスポンジであって、ひげそり用化粧剤を含侵し一面に面着部材が設けられていることを特徴とするひげそり用補助スポンジ。
【請求項２】
カミソリ刃が設けられたヘッドと柄からなる携帯用Ｔ字状カミソリにおいて、ヘッドと柄をつなぐ顎の部分に請求項１記載のひげそり用補助スポンジを一体的に取付けたことを特徴とするひげそり用補助スポンジ付きカミソリ。
【考案の詳細な説明】
【技術分野】
【０００１】
本考案は、ひげそり用化粧剤を一体に備えるひげそり具に関するものである。具体的には、シェービングフォームや石鹸水等のひげそり用化粧剤を含侵し且つＴ字型カミソリに取付可能にしたスポンジに関する考案であり、更には該スポンジを一体的に備えたＴ字型カミソリに関する考案である。
【背景技術】
【０００２】
従来、カミソリを使うひげそりにおいては、剃る部分に水や石鹸水をハケで塗り付けたり、シェービングフォームやシェービングジェルを手で塗り付けたりしていた。このため旅行先や外出先でひげを剃るためには、カミソリ本体とは別にシェービングフォームやシェービングジェル、またはハケや石鹸水を用意する必要があり、大変不便であった。そのため、ひげそり用化粧剤の供給機構を備えたカミソリや、固形状のひげそり用化粧剤をカミソリ刃の周辺部に一体に備えたカミソリ等が開発され広く利用されている（特許文献１及び２参照）。
【先行技術文献】
【特許文献】
【０００３】
【特許文献１】特開２００７−１７５３５８号公報
【特許文献２】特開平８−２８０９５２号公報
【考案の概要】
【考案が解決しようとする課題】
【０００４】
しかしながら、従来の髭剃り機は髭剃る前にハケで水や石鹸水を含ませ、鬚を剃る刃の後ろ側に付いている物も有り、特別な労力や無駄な資材が多かった、私の考案された髭剃り機に付くスポンジは、低コストにて実現でき、使用するとき、使用しない時も軽く、小物であるので、場所もとらず清潔に保管できることを目的とし、開発する物で有る。
【課題を解決するための手段】
【０００５】
本考案は人間の必要でない毛を剃る物であって、簡単な使い捨ての剃刀の位置部分に付けて使用する物で、忙しく出かける人や、特に女性の肌に優しく、顔、脇の下、拗毛等に使用でき、身体の美しい人間作りに役立つ物で有る。
【考案の効果】
【０００６】
本考案により人間の無駄な毛を剃る時従来では、剃る前にハケを使用して水や石鹸水を含ませてその箇所に塗ると言う余分な動作が必要であった、私の本考案はその動作を省くという機能を持つ物であり、ハケの変わりに、髭剃り機の顎と言われる部分にスポンジを貼りつけ、水、石鹸水、肌に優しい液をスポンジに含ませ使用すると言う動作的に負担の掛からないスポンジである、又、素早く変身して、人間の美しい姿を守り、一日の出勤や家庭での仕事の始まりで、身だしなみと仕事への意欲が出て来ると言う効果があり、低コストで使用出来ると言う特徴を持つ物である。
カミソリの柄の形状に合った三角形のスポンジを剃る前に水や石鹸水を含ませてから、剃るという原理で、従来の髭剃り機は、髭剃り機を使う前にハケで水や石鹸水を含ませてから剃る部分に塗り付けてから使用するが、私の考案した物は、使い捨て髭剃りの顎の部分に水や石鹸水を吸うスポンジなので、従来のハケで塗ってからと言う、無駄な行動は一切ない。そのまま剃れるという便利で素早く綺麗に剃る事が出来ると言う特徴を持っている。
【図面の簡単な説明】
【０００７】
【図１】本発明の概要図
【図２】本発明の１実施例の構成を説明する図
【考案を実施するための形態】
【０００８】
以下、添付図面に従って本考案の実施形態を説明する。
図１は本考案になるカミソリの概観図である。１はカミソリ本体、２はスポンジ、３は面着部材、４はカミソリ刃、５はヘッド部、６は柄、７は顎部である。カミソリ本体１は全体がＴ字状の形状をなし、大きくはヘッド５と柄６からなっている。ヘッド５と柄６との間には顎部７が形成されている。またヘッド５にはカミソリ刃４が設けられている。またスポンジ２はシェービングフォームや石鹸水等のひげそり用化粧剤を含侵してあり、スポンジ２の片面には面着部材（接着剤や両面テープ等）が備えてあり、該面着部材によりカミソリ本体1の顎部７に取付けられるようになっている。図２（ｂ）はカミソリ本体１の側面図である。ヘッド５は柄６に対して傾けて取付けられるように、ヘッド５と柄６の間には湾曲形状をなす顎部７が設けられている。スポンジ２は湾曲形状をなす顎部７の内径側に取付ける。
上記構成になる本考案スポンジの使用機能を説明する。図1に見るごとく本考案になるカミソリを使用する際は、カミソリ刃４を顔等に当てると同時にスポンジ２も顔等に触れる構造となっている。又その接触位置はカミソリ刃を移動させる方向前方部に位置する。よってカミソリ刃４でひげを剃る前に、スポンジ２に含侵されたひげそり用化粧剤がひげに塗りつけられ、スムーズなひげそり作業が行える。
一般家庭において朝起きて鬚を剃る、又は、女性が、使用する時も、スポンジなので、肌にも優しく、顔、足、脇の下とかさまざまなとこにも使えると云う物である、携帯にも負担が掛からず自分専用にもなり、衛生的で、便利で安く、使い捨てにもなる。又、剃刀が切れなくなった時、はがして再利用する事も出来ると言う特徴をもっている
【符号の説明】
【０００９】
１  カミソリ本体
２  スポンジ
３  面着テープ
４  カミソリ刃
５  ヘッド部
６  カミソリの柄
７  顎部
【図１】
0003163456.tif 000003
【図２】
0003163456.tif 000004
(57)【要約】      （修正有）【課題】製品の品質の均一化と生産性の向上を図ることにより、構造が簡単で取り扱い容易な改良された鉄筋やアンカーボルト、その他の棒状物の結束用固定具を提供する。【解決手段】複数の波形状の凹凸部を有する本体部２と、前記本体部の両端部からそれぞれ同方向に屈折して突出する鉤腕３を有する弾性金属ワイヤからなる棒状物の結束用固定具１であって、前記波形状の凹凸部５、６は前記突出する鉤腕と同じ突出方向に屈曲する凹凸からなり、鉤腕の先端部には下方向へ向かって突出する鎌型状の係止爪４が設けられている。【選択図】図１
0003163074.tif 000002
【実用新案登録請求の範囲】
【請求項１】
複数の波形状の位置決め用凹部を有する本体部と、前記本体部の両端部からそれぞれ同方向に屈折して突出する鉤腕を有することを特徴とする弾性金属ワイヤからなる棒状物の結束用固定具。
【請求項２】
前記波形状の位置決め用凹部は、前記突出する鉤腕と同じ突出方向に屈曲していることを特徴とする請求項１記載の棒状物の結束用固定具。
【請求項３】
前記鉤腕の先端部には、鎌型状の係止爪が設けられており、前記係止爪は鉤腕の先端部から下方向へ向かって突出している事を特徴とする請求項１又は２記載の棒状物の結束用固定具。
【考案の詳細な説明】
【技術分野】
【０００１】  この考案は、コンクリートブロックを積工する際や基礎工事をする際の鉄筋や配筋又はパイプやアンカーボルト、或いはその他ガーデニングや棚板の支柱等の棒状体（以下単に「棒状物」という）を結束するための固定具に関する。
【背景技術】
【０００２】  通常、鉄筋等を結束するには針金やプラスティック結束線で結束する方法が用いられていた。しかしながら、このような結束線を使用する方法は、結束線の締め付け工具を使用するため、時間と労力がかかる上に鉄筋等の丸棒をセットする際に結束線が緩み易く指定する固定位置にズレが生ずる事が多く、工具で結束線を締め付けるとき左右前後に力が加わって施工物全体に狂いが生じやすくなるという欠点があった。【０００３】  そのため本案出願人は、結束線の締め付け工具なしで鉄筋や配筋又はパイプやアンカーボルト等の棒状物を結束する弾性金属ワイヤのみからなる固定具を出願した（特許文献１参照）。
しかしながら、前記考案品は固定具の中央部に金属ワイヤを折り返したフック２（特許文献１の図面参照）が設けられているため、製作工程や使用形態に多少の改良すべき点が発見されたため、本案は前記考案品を更に改良したものである。
【先行技術文献】
【０００４】
【特許文献】
【０００５】
【特許文献１】実用新案登録第３０９４６０９号公報
【考案の概要】
【考案が解決しようとする課題】
【０００６】  この考案は、前述した問題点を解決するために、製品の品質の均一化と生産性の向上を図ることにより、構造が簡単で取り扱い容易な改良された棒状物の結束用固定具の提供を目的とするものである。
【課題を解決するための手段】
【０００７】  この考案は、複数の波形状の位置決め用凹部を有する本体部と、前記本体部の両端部からそれぞれ同方向に屈折して突出する鉤腕を有することを特徴とする弾性金属ワイヤからなる棒状物の結束具であって、前記波形状の凹部は前記突出する鉤腕と同じ突出方向に屈曲する凹凸部からなり、鉤腕の先端部には下方向へ向かって突出する鎌型状の係止爪が設けられている。
【考案の効果】
【０００８】  この考案によれば、単一の弾性金属ワイヤのみからなる結束用固定具で有り、従来のような特別な折り返し部のない屈曲する凹凸状の波形のみからなる結束具であるから、より優れた製品の品質の均一化と生産性の向上を図ることができると共に現場における作業効率に優れた効果を奏するものである。【０００９】
【図面の簡単な説明】
【００１０】
【図１】この考案の結束用固定具の斜視図である。
【図２】この考案の結束用固定具を用いた鉄筋結束状態説明図である。
【考案を実施するための形態】
【００１１】  以下、この考案の実施例に基づき説明するが、以下の説明において同一の機能を有する部材や部位、構成については同一の符号を付け、或いは説明を省略する場合がある。
【００１２】  図１は、この考案の実施例である結束用固定具１の斜視図で、この固定具１は弾性力を有する単一の金属のワイヤ（以下「弾性金属ワイヤ」という）で構成されており、本体部２と、２本の鉤腕３とその鉤腕３の先端部には図のように下方向へ向かって突出する鎌型状の係止爪４を有している。また、本体部２の中央部には、２ヶ所にアンカーボルト又は鉄筋、その他の棒状物を押圧係止する複数の位置決め用凹部５、６が設けられており、本体部２の弾性力により棒状物をその凹部に位置決めして押圧固定するようになっている。また、この位置決め用凹部は、それぞれ凹部の深さを相違させることにより、結束する棒状物の位置や大きさに応じて凹部の位置を使い分けすることができる。さらに、鉤腕３や係止爪４は鉄筋等をセットする際にしっかりと棒状物を固定するために適当かつ十分な弾性力を付与されており、結束対象物である各種棒状物の位置や大きさ結束状態によって必要に応じて鉤腕３や係止爪４の傾きや方向を変更することもできる。
【００１３】  図２は、この考案の固定具を使用した鉄筋結束状態の説明図であり、この場合はアンカーボルト７に鉄筋８を直角に交差させて結束した状態を示しており、鉤腕３を幾分内側に傾けて係止爪の弾性力を大きくしている。
この実施例では、位置決め用凹部５を使用しているが、アンカーボルト７の下方部で鉄筋を結束する場合は、固定具の浅い方の位置決め用凹部６を使用することによりアンカーボルトの径の細い部分に対応して結束することができる。
なお、図２にはアンカーボルト７に鉄筋８を直角に交差させて結束した状態のみが示されているが、固定具１を十文字に組み合わせて鉄筋をダブルセットしたり、結束補強のために結束具を斜めにかけ渡して使用することもできる。その他、特に図示はしないが使用方法については現場の状況によってさまざまな対応が出来るのである。
【符号の説明】
【００１４】１・・・固定具
２・・・本体部
３・・・鉤腕
４・・・係止爪
５、６・・・位置決め用凹部
【図１】
0003163074.tif 000003
【図２】
0003163074.tif 000004
(57)【要約】      （修正有）【課題】男性が自慰行動等によって精液を射精する時、煩わしい処置を省くことができる精液処理具を提供する。【解決手段】精液射精時に男性性器の亀頭部のみを包み込む様に装着し、精液をこぼさず受け止めるようにして、射精精液処理具を形成する。【選択図】図２
0003163072.tif 000002
【実用新案登録請求の範囲】
【請求項１】
従来の避妊具であるコンドームの素材を利用して、男性性器の陰茎の亀頭部分のみを包み込む形状を特徴とする、男性の射精精液処理具。
【請求項２】
亀頭部分の根元を締め付ける輪ゴム状部分を、通常のコンドームの輪ゴム状部分に比べ強化した事を特徴とする、請求項１に記載の男性の射精精液処理具。
【請求項３】
通常のコンドームより、射精された精液を受け止める精液溜めの袋の部分を大きくした事を特徴とする、請求項１に記載の男性の射精精液処理具。
【考案の詳細な説明】
【技術分野】
【０００１】本考案は、他人との性交渉において使用する避妊具ではなく、男性の性器を自慰等で刺激し射精する精液を処理する時に使用する、精液処理具に関するものである。
【背景技術】
【０００２】男性性器を自慰等で刺激し射精する時、飛散する精液の対処にはティッシュペーパーをあてがう等で、対処していた。
【考案の概要】
【考案が解決しようとする課題】
【０００３】男性の性器を自慰等で刺激し射精をする時には、射精後の汚れを気にして、慌ててティッシュペーパーをあてがったり、飛散した精液の後始末が煩わしかったりして、快感が損なわれてしまうものである。それを解決しようとするものである。
【課題を解決するための手段】
【０００４】本考案は、従来の避妊用コンドームの素材を利用し、男性性器が刺激によって勃起した時に、亀頭部分のみを包み込む形状の男性の射精精液処理具を製作し、それを装着し射精時の精液を全て受け止める事により、問題点を解決している。
【考案の効果】
【０００５】男性性器を刺激し勃起した時、本考案の射精精子処理具を事前に装着しておけば、射精が近づいた時慌ててティッシュペーパーをあてがう等の煩わしい処置をしなくて済むので、快感が損なわれる事がなくなる。又、飛散した精液で回りを汚す事無く衛生的に処理をする事が出来るようになる。
【図面の簡単な説明】
【０００６】
【図１】考案した男性の射精精液処理具本体の、形状の特徴を示す図である。
【図２】男性器に装着した本体の、射精前、射精後の本体形状の変化図である。
【考案を実施するための形態】
【０００７】男性性器を刺激し勃起後に、本考案の射精精液処理具を陰茎亀頭部に装着し、その後性器への刺激を行い本体内部に精液を射精し、精液射精後に処理具を外し処理する。
【符号の説明】
【０００８】１  通常のコンドームより大きく作った、精液溜めの袋部分。
２  通常のコンドームより締め付けを強化した、輪ゴム状部分。
３  男性性器。
【図１】
0003163072.tif 000003
【図２】
0003163072.tif 000004
(57)【要約】      （修正有）【課題】剥離紙付き両面テープを使用する際、粘着部から剥離紙を簡単に剥がせる両面テープを提供する。【解決手段】接着面より広く剥離紙の幅をとり、剥離紙に非粘着部を設け、また剥離紙の表面に境目線を入れる。【選択図】図４
0003163076.tif 000002
【実用新案登録請求の範囲】
【請求項１】
粘着部と剥離紙とから成る両面テープにおいて、剥離紙の幅を、粘着部の片側に少しはみ出るように広く設け、はみ出た非粘着部と粘着部との境目に沿って、剥離紙表面に境目線を入れることを特徴とする剥離紙を簡単に剥がせる両面テープ。
【考案の詳細な説明】
【技術分野】
【０００１】  本考案は両面テープの剥離紙の剥離が容易に行え、さらに剥離紙表面に付けた境目線により貼り付ける対象とする物との幅の確認が出来る剥離紙付き両面テープに関するものである。
【背景技術】
【０００２】  従来、剥離紙付き両面テープを使用する時は、必要な長さを切って貼り付け表面に付着している剥離紙を剥がすが、その時指や爪などで切り口から剥離を行っている。
また、両面テープの剥離紙にカットラインを入れてこのカットラインから剥離紙を剥がすか、剥離紙の左右どちらかを一方剥がして両面テープを接着する剥離紙付き両面テープ（特許文献１）や、粘着部保護の紙を少し厚めに作り、鱗状の切り込みを入れたもの（特許文献２）や矩形状で角部のみ非粘着部にするもの（特許文献３）が知られている。
【先行技術文献】
【特許文献】
【０００３】
【特許文献１】  特許公開２００２−２９４１８０号公報
【特許文献２】  特許公開２００５−１７９６２１号公報
【特許文献３】  特許公開２００７−３０８５２３号公報
【考案の概要】
【考案が解決しようとする課題】  従来の両面テープには次のような欠点があった。
（イ）対象とする物に粘着部を接着させ剥離紙を剥がすが、その剥離紙が容易に剥がす事が出来ないため、面倒であり時間もかかり不便であった。
（ロ）接着した後、剥離紙を剥がす時、剥離紙と一緒に粘着部が剥がれてきたり、丸まったりと、固定したい部分が確実に接着出来ない。
本考案は、以上の問題点を解決するために考案されたものである。
【課題を解決するための手段】  粘着部と剥離紙とから成る両面テープにおいて、剥離紙の幅を、粘着部の片側に少し、はみ出るように広く設け、はみ出た非粘着部と粘着部との境目に沿って、剥離紙表面に境目線を入れる。
本考案は以上の構成よりなる剥離紙を簡単に剥がせる両面テープである。
【考案の効果】  本発明を使用する事によって、粘着部からはみ出た剥離紙の非粘着部を、指や爪でかき上げるか又は非粘着部を折り曲げ剥がす事によって、剥離紙を容易に剥がす事が出来る。
また剥離紙を容易に剥がせる事によって、粘着部に影響を与える事なく必要とする長さ幅が正確に確保され対象とする物に正確に貼る事が出来る。
剥離紙表面に非粘着部と粘着部の境目に境線を入れる事により貼り付ける対象物の幅と実際に接着出来る幅との確認が出来る。
【図面の簡単な説明】
【図１】  本発明の実施例を示す斜視図
【図２】  本発明の内面粘着部斜視図
【図３】  本発明の剥離紙表面斜視図
【図４】  本発明の使用状態を示す斜視図
【考案を実施するための形態】
以下、本考案の実施の形態を説明する。
（イ）粘着部（５）と剥離紙（７）とから成る両面テープ本体（１）において、接着する粘着部（５）より剥離紙の幅を広くとり非粘着部（４）を終巻まで設ける。
（ロ）剥離紙表面に粘着部（５）非粘着部（４）との境目に境目線（６）を終巻まで設ける。
本考案は以上のような構造である。
【実施例】  本発明を使用する時は、内面粘着部（３）を対象とする物の必要量を確保し対象物に接着させる。接着する時において対象物の幅と剥離紙表面（２）に印してある粘着部の判る境目線（６）を確認し接着を行う。粘着部（５）の接着後、剥離紙の非粘着部（４）を指や爪にかけるか、非粘着部（４）を折り曲げるなどを行い剥離紙（７）を剥がし、その後対象となる物を粘着部に貼る。
【符号の説明】（１）本体
（２）剥離紙表面
（３）内面粘着部
（４）非粘着部
（５）粘着部
（６）境目線
（７）剥離紙
【図１】
0003163076.tif 000003
【図２】
0003163076.tif 000004
【図３】
0003163076.tif 000005
【図４】
0003163076.tif 000006
(57)【要約】      （修正有）【課題】キッチンペーパーと組み合わせて使うことで、揚げ物の余分な油を吸収し、そのまま盛り付けても料理を美しく演出し、また肉や魚のドリップを吸収し鮮度保持に役立つクッキングシートを提供する。【解決手段】クッキングシートに切れ目を入れ、模様をつける。【選択図】図１
0003163077.tif 000002
【実用新案登録請求の範囲】
【請求項１】
クッキングシートの熱に強く水油を通さず、くっつかないという特性をいかし、各種の模様をいれたことを特徴とする模様と切れ目がついたクッキングシート。
【請求項２】
クッキングシートに切れ目を付けたことを特徴とする請求項１記載の模様と切れ目がついたクッキングシート。
【請求項３】
クッキングシートの熱に強く水、油を通さず、くっつかないという特性を生かし、模様と切り目を設け、その下にキッチンペーパーを重ね、食品の油がクッキンシートーの切れ目からキッチンペーパーに吸収され、食品の余分な油の摂取が防げ、ダイエットに大きく貢献できることを特徴とする請求項２記載の模様と切れ目がついたクッキングシート。
【請求項４】
バラの花模様、小花模様など美しい模様がプリントされたクッキングシートをお皿に重ね並べたときに、食品を美しく演出できることを特徴とする請求項１記載の模様と切れ目がついたクッキングシート。
【請求項５】
肉や魚の下に、模様と切れ目がついたクッキングシートを敷き、その下にキッチンペーパーを敷いて、全体を包み保存すると、肉や魚のドリップがキッチンペーパーに吸着され鮮度保持に役立ち、又、クッキングシートの特性である、くっつかないことが、凍ったときでもキッチンペーパーを簡単にはがすことができることを特徴とする請求項２記載の模様と切れ目がついたクッキングシート。
【考案の詳細な説明】
【技術分野】
【０００１】  本考案は、一般家庭において使用されるクッキングシートで、ダイエットにも食品保存にも使える便利なシートに関する。
【背景技術】
【０００２】  従来のクッキングシートは、シリコンゴム又はシリコン樹脂製等で構成されており、クッキングシートは熱に強く水、油を通さない、くっつかないことを利用し、オーブン料理や蒸し料理に利用している。調理の過程において、オーブンの天板に敷き、クッキーや、ハンバーグなど熱に強く、水、油を通さず、くっつかないことを利用し、取り出しやすいように、又、器具に汚れがつかないように利用している。又、適度に蒸気を通すので蒸し料理の下に敷いたり、煮物料理の落としぶたなどに利用したり、多岐の用途にわたり使用されている。
【先行技術文献】
【特許文献】
【０００３】
【特許文献１】  特開２００９−１１９１２８号公報
【考案の概要】
【考案が解決しようとする課題】
【０００４】  本考案は、クッキングシートの熱に強く、水、油を吸収せず、食品がくっつかないという特性から、ダイエットのために余分な油をカットするという利用は全く有効ではなかった。又、肉、魚の鮮度保持には、材質上、ドリップを吸収することはないので、利用することは難しかった。さらに、キッチンペーパーの代わりにお皿に盛り付ける場合でも、半透明のシートそのままでは料理を美しく演出することは難しい。
【課題を解決するための手段】
【０００５】  クッキングシートの特性である、熱に強い、水、油を通さない、食品がくっつかないことを利用し、上記問題を解決するため、「模様と切れ目がついたクッキングシート」を考案した。クキングシートに切れ目を多数設けてあるので、油で揚げた食品を乗せると、切れ目を通して余分な油が下のキッチンペーパーに吸収されるため、油のカットが効率よくでき、ダイエットに大きな効果が期待される。食品がくっつかない特性から、キッチンペーパーでは直接乗せることが出来ない、べとつきがある食品（例  大学いも）なども簡単に油切りが出来、大変扱いやすい。又、「模様と切れ目がついたクッキングシート」とキッチンペーパーを重ねて使用し、肉、魚を包むことでドリップが多数設けてある切れ目から吸収され、鮮度保持に利用でき上記課題を解決している。さらに、美しい模様が入ることによって、キッチンペーパーでは演出できない美しさで料理を引き立たせることが可能です。
【考案の効果】
【０００６】    本考案は、クッキングシートの熱に強い、水、油を通さない、くっつかない、蒸気を適度に通すという特性を利用し、全く別の利用を可能にしたものです。「模様と切れ目がついたクッキングシート」とキッチンペーパーを組み合わせて使うことによって、油で揚げた食品の余分な油を簡単にカットすること、同じ使い方で、肉、魚を包みこむことで、ドリップを簡単に吸収出来、家庭でも鮮度保持を手軽に利用できるという効果が期待できる。又、見た目にも美しい盛り付けに利用することも可能となります。
【図面の簡単な説明】
【０００７】
【図１】模様と切れ目のついたクッキングシート。
【図２】従来の油であげた食品を皿に盛り付けた状態。
【図３】模様と切れ目がついたクッキングシートの下にキッチンペーパーを重ねて使用した状態。
【図４】模様と切れ目のついたクッキングシートの下のキッチンペーパー。
【図５】模様と切れ目のついたクッキングシートとキッチンペーパーを重ねて肉を包む状態。
【考案を実施するための形態】
【０００８】  油で揚げた食品２を乗せるクッキングシート３に切れ目４を多数設け、その下にキッチンパーパー５を重ねクッキングシート３の切れ目４を通して油６が下のキッチンペーパー５に吸着されるため肥満の原因である油６を食することが少なく、ダイエット効果がある、また、クッキングシート３とキッチンペーパー５を重ねて使用して、肉、魚を包むことで肉、魚から出るドリップ７をキッチンペーパー５に吸着され鮮度保持できる。
【産業上の利用可能性】
【０００９】  油で揚げた食品を乗せるクッキングシート３に切れ目が多数設けてあるので、切れ目を通して油が下のキッチングペーパー５に吸着される余分な油が吸収されるのでダイエット効果あり、また、クッキングシート３とキッチンペーパー５を重ねて使用して、肉、魚を包むことで肉、魚から出るドリップ７がキッチンペーパーに吸着され鮮度保持できるため産業上の利用価値は計り知れない。
【符号の説明】
【００１０】１  皿
２  肉又は魚などの食品
３  模様と切れ目があるクッキングシート
４  切り目
５  キッチンペーパー
６  油
７  ドリップ
【図１】
0003163077.tif 000003
【図２】
0003163077.tif 000004
【図３】
0003163077.tif 000005
【図４】
0003163077.tif 000006
【図５】
0003163077.tif 000007
(57)【要約】【課題】  流通時の利便性及び摂食時の利便性に優れた、具材とスープが一体となった即席スープの素を提供する。【解決手段】  魚介エキス、畜肉エキス、野菜エキス、醸造調味料、醤油、だし汁、蛋白質分解物、甘味料、酸味料及び食塩から選ばれた少なくとも一種の液体の調味成分を乾燥魚肉シートに吸収させた後、さらにその表面に粉体スープを付着させた薄板状であることを特徴とする即席スープの素。【選択図】図１
0003163080.tif 000002
【実用新案登録請求の範囲】
【請求項１】
魚介エキス、畜肉エキス、野菜エキス、醸造調味料、醤油、だし汁、蛋白質分解物甘味料、酸味料及び食塩から選ばれた少なくとも一種の液体の調味成分を魚肉シートに吸収させ、さらにその表面に粉体スープを付着させた薄板状であることを特徴とする即席スープの素。
【考案の詳細な説明】
【技術分野】
【０００１】  本考案は魚肉加工品を具材とした薄板状の即席スープの素に関するものである。
【背景技術】
【０００２】  即席スープには、粉体あるいは液体のスープと具材が別包装になっているものが数多く市販されている。しかし、粉末・顆粒状や液状であると、容器に移す際にこぼしたり、飛散し易い。また、一食当たり複数の別包装があると開封に手間が掛かる。【０００３】  これまでにも上記の課題を解決する為に、スープの素となる調味料等の中に具材を散りばめて一体となった形態のものが開発されており、その中に板状の即席スープの素も存在する。
【先行技術文献】
【特許文献】
【０００４】  具材をゼラチンが含まれるスープで固化成形してスライスした後凍結乾燥したもの（特許文献１）、具材をゼラチンで板状に成形し、トレイに入れて調味液を注加し凍結乾燥したもの（特許文献２）がある。【０００４】
【特許文献１】特開平６−３０７３１
【特許文献２】特開平６−１２５７４７
【考案の概要】
【考案が解決しようとする課題】
【０００５】  特許文献１や特許文献２は共にゼラチンで成形後に凍結乾燥を施しており、凍結乾燥製法自体のコストが高い上、工程が煩雑になる。【０００６】  また、凍結乾燥したものは脆く、少しの衝撃で形が崩れ易い為、衝撃から保護する目的で一食分ずつ小分けされている場合が多く、好みの味の濃さや摂食量に調節し難しい。さらに、一食分ずつ小分けするための包材が必要となり、コストがそれだけ掛かる。
【課題を解決するための手段】
【０００７】  上記課題を解決する為、本考案では、魚介エキス、畜肉エキス、野菜エキス、醸造調味料、醤油、だし汁、蛋白質分解物、甘味料、酸味料及び食塩から選ばれた少なくとも一種の液体の調味成分を、適当な大きさに裁断した乾燥魚肉シートに吸収させる工程、上記工程で得られた魚肉シート具材の表面に粉体スープを付着させる工程によって、薄板状の具材そのものにお湯をかけることでスープとなる本考案を完成するに至った。【０００８】  本考案を構成する粉体スープは、乾燥魚肉シートに吸収された液体の調味成分の水分によって潮解することで生じる結着力によって魚肉シート具材の表面に付着している。粉体スープが付着する量は、乾燥魚肉シートに吸収させる液体の調味成分の量を加減することで調節できる。また、必要に応じて乾燥工程を設けることで本考案品の水分含有量を調節することもできる。【０００９】  本考案の基材となる乾燥魚肉シート自体に他の食品素材を練り込んで味を変えることにより、様々な味を楽しむことができる。また、乾燥ネギやゴマの他に、紫蘇チップや鰹節チップや生姜チップなどを液体の調味成分や粉体スープに混合することで乾燥魚肉シートの表面に付着させることができる。
【考案の効果】
【００１０】  本考案は、乾燥魚肉シートに液体の調味成分を吸収させ、そこに粉体スープを付着させて全体の水分含有率を１０〜２０％以下に抑えた場合、粉体スープ中の塩分等により水分活性を０．７以下に抑えることができるので常温流通が可能である。【００１１】  乾燥魚肉シートの表面に粉体スープを付着させているので、粉末や液体のスープの素のように飛散や容器外にこぼしてしまうことがなく、手軽で確実に容器内へ入れることができる。【００１２】  さらに本考案には柔軟性があるので凍結乾燥をしたスープの素のように衝撃で形が崩壊することがなく、バルク包装での流通が可能である。【００１３】  本考案で使用する乾燥魚肉シートは厚みが薄く、湯を素早く吸収することから、湯を注ぐと短時間でスープが出来上がり、魚肉シートはそのままスープの具材となる。
また、本考案の薄板状即席スープの枚数を増減させることで好みの味の濃さや摂食量の調節をすることができる。
【図面の簡単な説明】
【００１８】  以下に本発明に係る図面の簡単な説明を記す。
【図１】  本考案における実施形態の薄板状即席スープの一例の模式的な斜視図である。
【図２】  図１に示す本考案における実施形態の薄板状即席スープの一例のＡ・Ａ線の模式的な断面図である。
【考案を実施するための形態】
【００１４】  以下、この考案の実施例を説明するが、この考案はこれらにより限定されるものではない。
【実施例】
【００１５】  スケソウ鱈やホッケ等の潰擂肉に澱粉、卵白、食塩、調味料等を加えて混練し、これを圧延成形機により厚さが０．５〜３ｍｍの薄板状に加熱形成した後、焙焼機で加熱して焼き上げることで得られた乾燥魚肉シート３５ｇに、それぞれ液体の鮭エキス２ｇ、鰹エキス１ｇ、昆布エキス１ｇ、チキンエキス０．５ｇ、酵母エキス０．５ｇを吸収させた。【００１６】さらにその表面に椎茸エキス粉末７ｇ、ホタテエキス粉末４ｇ、粉末醤油７ｇ、粉末コンソメ４ｇ、食塩２２ｇ、グルタミン酸Ｎａ１４ｇ、イノシン酸Ｎａ１ｇ、乾燥ねぎ１ｇを混合したものをまぶして付着させる。このままでも表面がべとつくことは無いが、必要に応じて乾燥工程も加えても良い。【００１７】  この乾燥魚肉シートは、その水分含有率が３〜２０％の場合に液体の調味成分の吸収が良く、また好みの大きさに裁断していると取り扱い易い。尚、この実施例では、乾燥魚肉シートの水分含有率を１５〜２０％、大きさは１５×２０×２ｍｍのものを使用した。
【産業上の利用可能性】
【００１８】  本考案により、流通時及び摂食時に際し取扱いに優れた利便性を持つ、具材とスープが一体となった即席スープの素を提供することができる。
【符号の説明】１  乾燥魚肉シート
２  粉体スープ
３  乾燥ねぎ
【図１】
0003163080.tif 000003
【図２】
0003163080.tif 000004
(57)【要約】      （修正有）【課題】散歩中ペット犬の放尿場所に水タンクの下端に取り付けたホースで放尿場所へすばやく散水する。適量散水して水洗することにより放尿場所は清潔で美観は守られるし、飼い主はマナーを守って肩身の狭い思いをしないで清々しく散歩ができる水洗具を提供する。【解決手段】携行に負担がかからない様に体にフイットする形状の長方形水袋に散水ホースと携帯ベルトを取り付けた。水タンクを袋状にしたのは満タンから水を使い切るまで水の自重による水圧を保つためであるのと携行時に体に密着して、持ち運びを便利にした。【選択図】図１
0003163085.tif 000002
【実用新案登録請求の範囲】
【請求項１】
携行用の長方形水袋の下端に水洗用の散水ホースを取り付け、散歩中のペット犬の放尿場所に散水して洗い流す水洗具。
【考案の詳細な説明】
【考案の詳細な発明】
【考案が解決しようとする課題】
【０００１】  ペットブームといわれる現在、どこの街でもペット犬が買い主と一緒の散歩が見受けられる。
しかし、散歩中は犬特有の放尿がペット犬の増加と共に増え街の美観を損ねて、暑い日は臭気が立ち込めて近隣住人の迷惑と不評が絶えない。
飼い主はペット犬の放尿放置に肩身の狭い思いをしながら散歩をしているのが現状である。
なかにはペットボトルを持参して散歩する飼い主も見受けられるが持ち運びが不便で長続きしない。
【課題を解決するための手段】
【０００２】  飼い主はペット犬と散歩する時に水を注入した長方形水袋を肩などに掛けて携行し、散歩中の放尿を水洗する時、長方形水袋下端に取り付けたホースから水袋内の水が自重でホース先端の開閉弁から勢いよく散水して放尿場所を水洗する。
水タンクを袋状にしたのは満タンから水を使い切るまで水の自重による水圧を保つためであるのと携行時に体に密着して、持ち運びを便利にした。
【考案の効果】
【０００３】  放尿場所へ適量散水して水洗することにより汚れた場所が清潔になり美観は守られるし、飼い主はマナーを守り肩身の狭い思いをしないで清々しく散歩ができる。
【図面の簡単な説明】
【図１】長方形水袋（１）下端に散水ホース（４）を取り付けた斜視図である。
【図２】側面図である。
【符号の説明】  １長方形水袋      ２注入口      ３携行ベルト      ４散水ホース      ５開閉弁
【図１】
0003163085.tif 000003
【図２】
0003163085.tif 000004
(57)【要約】      （修正有）【課題】電圧側と接地側を正しくハッキリと通電区別可能で感電防止に最大の効果的で不安を解消し安心安全であるプラグを有する照明装置を提供する。【解決手段】プラグと、プラグに接続されたソケットを有する。プラグは、電圧側および接地側の１対の差し込み刃を有し、接地側の差し込み刃が電圧側の差し込み刃より幅広くに形成されている。ソケットは電球の中心電極に接続するための中心電極接続部と、電球の口金に接続するための口金接続部とを有し、中心電極接続部が電圧側の差し込み刃に接続され、口金接続部が接地側の差し込み刃に接続されている。【選択図】図１
0003163086.tif 000002
【実用新案登録請求の範囲】
【請求項１】
プラグを、前記プラグに接続されたソケットを有し、
前記プラグは、電圧側および接地側の１対の差し込み刃を有し、前記接地側の差し込み刃が前記電圧側の差し込み刃より幅広くに形成されており、
前記ソケットは電球の中心電極に接続するための中心電極接続部と、
電球の口金に接続するための口金接続部とを有し、
前記中心電極接続部が前記電圧側の差し込み刃に接続され、
前記口金接続部が前記接地側の差し込み刃に接続されていることを特徴とする照明装置。
【考案の詳細な説明】
【技術分野】
【０００１】  本考案は電気設備に関する照明装置に関わるものである。
【背景技術】
【０００２】  従来の電圧１００ボルトのコンセントの受け口までは、電圧側と接地側とハッキリと区別されているがプラグをコンセントに差し込み時に電圧側と接地側の刃を区別無関係なく差し込んで使用しているので不便である。ソケットの口金接続部に電圧通電時に電球の取り付け又は、電球の取り外しの際にソケットの口金接続部と電球の口金に接触同時に電球の口金が露出の状態で指先を触れたりすると感電をするので不安と不利と不便で不安全である。
【先行技術文献】
【特許文献】
【０００３】
【特許文献１】特許公開２００７−１０９６１９号公報
【特許文献２】特許公開平２００６−２０４８８号公報
【特許文献３】特許公開平１１−１７６５０９号公報
【特許文献４】特許公開平    ９−３０６５７８号公報
【特許文献５】登録実用新案第３０１７２４３号公報
【考案の概要】
【考案が解決しようとする課題】
【０００４】  しかし、これでは感電する恐れがあるので不安を生じるので不便である。
【課題を解決するための手段】
【０００５】プラグを、前記プラグに接続されたソケットを有し、前記プラグは、電圧側および接地側の１対の差し込み刃を有し、前記接地側の差し込み刃が前記電圧側の差し込み刃より幅広くに形成されており、前記ソケットは電球の中心電極に接続するための中心電極接続部と電球の口金に接続するための口金接続部とを有し、前記中心電極接続部が前記電圧側の差し込み刃に接続され、前記口金接続部が前記接地側の差し込み刃に接続されていることの照明装置。
【考案の効果】
【０００６】  よって、本考案はコンセントにプラグを差し込み電圧側と接地側を正しくハッキリと通電区別可能で感電防止に最大の効果的で不安を解消し安心安全である。
【考案を実施するための形態】
【０００７】  本考案に関わる照明装置は図１，２に示すようにプラグ３の差し込み刃の電圧側差し込み刃１よりも接地側差し込み刃２を幅広く備えた。
【０００８】  コンセントにプラグ３を差し込むと電圧側１１はソケット５の中心電極接続部７へ給電となる、又、接地側１２は口金接続部６となる、したがって電球８の取り付け又は、電球８の取り外し等の際に電球８の口金９に触れても接地側１２で感電しない。
【図面の簡単な説明】
【０００９】
【図１】  本考案に係わるプラグの斜視図である。
【図２】  本考案に係わるソケットと電球の斜視図である。
【符号の説明】
【００１０】  １  電圧側差し込み刃                ２  接地側差し込み刃
３  プラグ                          ４  コード線
５  ソケット                        ６  口金接続部
７  中心電極接続部                  ８  電球
９  口金                          １０  中心電極
１１  電圧側                        １２  接地側
【図１】
0003163086.tif 000003
【図２】
0003163086.tif 000004
(57)【要約】      （修正有）【課題】作業の軽減とコストダウン出来る戒名板を提供する。【解決手段】戒名板本体４に切り込み溝部１を設け複数の字彫り用プレート２を差し込み、戒名板本体４の両側に固定プレートを設ける。又、戒名板本体４の両側にボルト受け部を設け固定プレートにボルト貫通穴をあけボルトワッシャー止めをする。これを使用する時は、ボルトとワッシャーを取り外し、字彫り用プレート２を抜き出す。その抜き出した字彫り用プレート２に字彫りをする。【選択図】図３
0003163035.tif 000002
【実用新案登録請求の範囲】
【請求項１】
従来品の戒名板（板石）に切り込み溝部お設け、その切り込み部に複数のプレートを差し込みその両側を穴をあけた別のプレートでボルト止めをする墓石用戒名板（墓標）
【考案の詳細な説明】
【技術分野】
【０００１】  この考案は戒名板本体と文字彫りプレートを分離型にすることにより追加彫り作業を軽減するための墓石用戒名板（墓標）である。
【背景技術】
【０００２】  従来、戒名板（墓標）本体に直に文字を彫りこんでいた。
【考案の概要】
【考案が解決しようとする課題】
【０００３】  そのために次のような問題点があった。
追加彫りとするために工場に持ち帰ったり又、現場で字彫りをしたり大変な労力とコストがかかっていた。本考案は以上の問題点を解決するためになされたものである。
【課題を解決するための手段】
【０００４】  戒名板（墓標）本体に上下の溝を設けその溝に字彫りをしたプレートを差し込んだ墓石用戒名板（墓標）である。
【考案の効果】
【０００５】  文字彫りプレートそのものが軽く持ち運びが容易なので簡単に字彫が可能になりコストダウンが出来る。
【図面の簡単な説明】
【０００６】
【図１】六面図
【図２】本考案の斜視図
【図３】本考案の一部を切り欠いた側面図
【図４】本考案の展開図
【図５】本考案の固定プレートの止め部のボルト類の説明図
【考案を実施するための形態】
【０００７】      以下の考案の実施形態について説明する。
（イ）戒名板本体（４）に切り込み溝部（１）を設け複数の字彫り用プレート（２）を差し込み、戒名板本体（４）の両側に固定プレート（３）を設ける
（ロ）切り込み溝部（１）を設けた戒名板本体（４）に複数も字彫り用プレートを差し込み、戒名いた本体（４）の両側にボルト受け部（Ｃ）を設け固定プレート（３）にボルト貫通穴をあけボルト（Ａ）ワッシャー（Ｂ）止めをする。
本考案は、以上の構造でこれを使用する時は、ボルト（Ａ）とワッシャー（Ｂ）を取り外し、字彫り用プレート（２）を抜き出す。その抜き出した字彫り用プレート（２）に字彫りをする。
【符号の説明】
【０００８】１  切り込み溝部
２  字彫り用プレート
３  固定プレート
４  戒名板本体
Ａ  ボルト
Ｂ  ワッシャー
Ｃ  ボルト受け部
【図１】
0003163035.tif 000003
【図２】
0003163035.tif 000004
【図３】
0003163035.tif 000005
【図４】
0003163035.tif 000006
【図５】
0003163035.tif 000007
【手続補正書】
【提出日】平成22年7月7日(2010.7.7)
【手続補正１】
【補正対象書類名】実用新案登録請求の範囲
【補正対象項目名】全文
【補正方法】変更
【補正の内容】
【実用新案登録請求の範囲】
【請求項１】
戒名板の上下に切り込み溝部を設け、前記切り込み溝部に複数のプレートを差し込み、戒名板の両側に穴をあけた固定用プレートをボルト止めした墓石用戒名板。
(57)【要約】      （修正有）【課題】夏場はクーラーのきいた室内、冬場の寒い野外や室内、乳児に服をめくり授乳をする母親など、急に着用、着脱したい時に簡単に対応する事が出来るように、前部分が開閉できる腹巻きを提供する。【解決手段】前中心が開放された腹巻きの両端にスナップやファスナー、釦等を設けて前開き腹巻きを形成する。【選択図】図１
0003163032.tif 000002
【実用新案登録請求の範囲】
【請求項１】
前部分が開放できる事を特徴とする腹巻き
【考案の詳細な説明】
【技術分野】
【０００１】本考案は着脱しずらい腹巻きの前部分を開放する事により着脱しやすくした前開き腹巻きである。
【背景技術】
【０００２】従来は前部分が開閉出来る腹巻きはなく着脱が不自由であった。
【考案の開示】
【考案が解決しようとする課題】
【０００３】これは以下の様な問題があった。
これまでの丸いままの腹巻きでは夏場はクーラーのきいた室内、冬場の寒い野外や室内、乳児に服をめくり授乳をする母親などは、着脱が難しく、すぐに着用出来ないもしくは人前では着用しずらいという問題があった。
本考案は以上のような欠点を無くす為になされたものである。
【課題を解決する為の手段】
【０００４】腹巻きの前中心１が開放され、着脱しやすくした腹巻きである。
【考案の効果】
【０００５】腹巻きの前部分が開く事により、急に着用、着脱したい時に簡単に対応する事が出来る。
【図面の簡単な説明】
【０００６】
【図１】本考案を示した平面図である
【図２】本考案を示した着用時図である
【符号の説明】
【０００７】１  腹巻き本体
２  スナップ部分
【図１】
0003163032.tif 000003
【図２】
0003163032.tif 000004
【手続補正書】
【提出日】平成22年5月29日(2010.5.29)
【手続補正１】
【補正対象書類名】実用新案登録請求の範囲
【補正対象項目名】全文
【補正方法】変更
【補正の内容】
【実用新案登録請求の範囲】
【請求項１】
前中心が開放された腹巻きの両端にスナップやファスナー、釦等を設けた前開き腹巻き
(57)【要約】      （修正有）【課題】歩行中不用意に路面の凹凸部を踏んで捻挫、転倒事故で怪我をする事がある。そこで、捻挫転倒事故を減少させる靴を提供する。【解決手段】歩行中の人の体重のかかる踵部の靴底を強度を持たせ拡幅し捻挫、転倒の支えとなる構造とした。これはスニーカー、幼児靴、ビジネスシューズ、ゴルフシューズ等にも活用できる。【選択図】図２
0003163034.tif 000002
【実用新案登録請求の範囲】
【請求項１】
図１の３と図２の３に示すよう靴底を左右対称形に外側に拡幅する。
目的は歩行中の突発的な捻挫、転倒事故による怪我を減少させる。
【請求項２】
図２の４に示すよう前記拡幅した靴底に補強板を設ける。
この補強版は靴底に内臓とし捻挫、転倒時に発生する負荷に耐える強度を保有するものとする。
【請求項３】
図２の５に示すごとく靴本体の踵部の外側に緩衝部を設ける目的は捻挫した時の衝撃を緩衝する。
１項、２項ともスニーカー、幼児靴、紳士靴、ゴルフシューズに適用できる。
【考案の詳細な説明】
【技術分野】
【０００１】この発明は普通に歩行する時に使用する靴に関する。
【背景技術】
【０００２】従来の靴の踵部分の靴底部の幅寸法は靴本体の踵部幅寸法と略同じ寸法となっている。（ハイヒール類を除く）
【先行技術文献】
【０００３】特許出願平８−１６６３２６
【考案の概要】
【考案が解決しようとする課題】
【０００４】歩行中不用意に路面の凹凸部を踏んで捻挫、転倒事故で怪我をする事がある。そこでこの発明は捻挫転倒事故を減少させるべく靴を提供することを課題とする。
【課題を解決するための手段】
【０００５】以上の課題を解決するためにこの発明は靴の踵部分の靴底幅を広くする事及びその負荷に耐える補強板を設けたことを特徴とする発明。
【考案の効果】
【０００６】この発明によって足首の捻挫及び転倒限界角度が大きく広がり捻挫転倒事故を減少させる。
図２のθ１が従来の靴の捻挫、転倒限界角度。
図２のθ２が本発明の靴の捻挫、転倒限界角度。
【図面の簡単な説明】
【０００７】
【図１】本発明の実施形態の全体図の上視図である。
【図２】本発明の実施形態の踵部の断面図である。
【考案を実施するための形態】
【０００８】図１は本発明の実施形態の全体を表す上視図である。
１は従来の靴と同様の足を挿入する靴の本体部分、２が（黒塗りつぶし部分）が本発明の靴底部分を示す。
この靴底部の拡幅形状は靴本体の最も幅の広い点３より垂直方向に伸ばしまた横方向は踵の末端部４より水平に延ばした交点が拡幅した寸法となる。
この交点にアールをつけることによりデザイン的な違和感を緩和する。
図２は本発明の靴の踵部分の断面図と参考として人の足首の関節の断面図である。
１は靴の本体、２（黒塗りつぶし部）は従来の靴の踵部の断面形状を示す。３（斜線部）は本発明の拡幅した踵の靴底の断面形状を示す。
４は踵にかかる突発的荷重に耐える強度を保有する補強板。
５は靴本体の踵部に設ける緩衝部目的は捻挫の衝撃を緩衝する。
支点ａは従来の靴底と地面との接点でこの点が足首関節の捻転を支える基点となる。
支点ｂは本発明の拡幅した靴底の地面との接点であり足首関節の捻転を支える基点となる。Ｃ点は人体の足首関節の中心点を示すθ１は従来の靴の踵幅の捻挫限界角度を表示する。
θ２は靴底を拡幅した時の捻挫限界角度を表示する。
【実施形態の効果】
【０００９】通常靴は足を挿入する本体部分と底板とで構成されている。
本発明は底板に改良を加えるものである。
図に示すよう底板の踵部を拡幅することにより、図面２に示す捻挫転倒限界角度がθ１からθ２まで拡大し、捻挫転倒事故を減少させることが出来る。
また当該靴底部には突発的な衝撃に耐える補強板を設ける
用語の意味−捻挫（転倒）角度＝この角度以上傾くと捻挫する。
【符号の説明】
【００１０】図面１  １靴本体２靴底３靴の幅広部４踵の末端部
５アール部
図面２  １靴本体２靴底３拡幅した靴底４補強板５は緩衝部
Ｃ足首関節の中心点θ１従来の靴の捻挫限界角度
θ２本発明の靴の捻挫限界角度
支点ａは従来の靴の靴底の踵部の左右の端点。
支点ｂは本発明の靴の靴底の踵部の左右端点。
【図１】
0003163034.tif 000003
【図２】
0003163034.tif 000004
【手続補正書】
【提出日】平成22年6月30日(2010.6.30)
【手続補正１】
【補正対象書類名】実用新案登録請求の範囲
【補正対象項目名】全文
【補正方法】変更
【補正の内容】
【実用新案登録請求の範囲】
【請求項１】
靴底を左右対称形に外側に拡幅し、補強板を内蔵させ又外側に緩衝材を設けたワイドヒールシューズ。
(57)【要約】      （修正有）【課題】手持ち型ヘッジトリマに長い柄を取りつけることで高木用として使用できるようにした安価なヘッジトリマの取付装置を提供する。【解決手段】安価で、軽量で、単純構造で、安全を考慮した手持ち型ヘッジトリマ８の取付け台１を作り、この取付け台１に、伸縮自在な二重パイプを長柄２として固定して取付ける装置とする。上記手持ち型電動ヘッジトリマやバリカン８を、上記の取付け装置１に装着すれば、高木用として稼働できる。手持ちの普通型一台で、二台分の働きをするので、経済的となる。また、特殊な形状でない限り、既存のメーカー品は、大概取付け可能である。【選択図】図１
0003163040.tif 000002
【実用新案登録請求の範囲】
【請求項１】
既存の高木用ヘッジトリマ又はバリカンは、摺動切断部と駆動部、それに長い柄とコンセント、スイッチ等の全てが整った一体型の機器である。
これに対して、本考案は、長い柄に取付け台が付いた取付け装置である、（図１、図２参照）本取付け装置は、既存のヘッジトリマ又はバリカンを装着することで、目的の機能である高木用として稼働することが出来る、本考案の目的は、既存の一体型機器から、長い柄を分離し、独立した取付け補助装置とする全ての考案に対して提供する。
【請求項２】
図１と図２に示す、ヘッジトリマ又はバリカン取付け装置の形状や適用材料の全ては、数年の実績に依るもので、（市販の軽量鋼製クロムメッキ付き物干し竿又は、同等品）この考案の全てを提供する。
【考案の詳細な説明】
【技術分野】
【０００１】本考案は、庭木の剪定に多用している、電動ヘッジトリマやバリカンの用途を拡げる園芸工具の補助具である。
【背景技術】
【０００２】庭木の剪定に使用される園芸工具には、手動用剪定鋏、刈込み鋏、鋸などがあり、自動用には、電動ヘッジトリマ、エンジン付きヘッジトリマ、又は、電動バリカンなど、多品種の園芸工具があり、用途により選ばれている。【０００３】庭木や生垣は、直線や円形に作った庭木が多く、これらの庭木を刈り込むには、手動の刈込み鋏を使うより、電動ヘッジトリマを使えば、作業が楽で、仕上がりが綺麗で、数倍の速さで刈りこめる。【０００４】電動ヘッジトリマやバリカンの機器構成は、摺動切断部と、それを動かす駆動部があり、その上部に取っ手やスイッチ類が付いたコンパクトな機器である、これを普通型と仮称する。この普通型に対して、長い柄を付けて高所や遠くに切断部が届くように作られたのが高木用と称され、既存のヘッジトリマやバリカンは、普通型と高木用の二種類が存在している。
【考案の概要】
【考案が解決しようとする課題】
【０００５】解決しようとする問題点は、既存の高木用ヘッジトリマやバリカンは、高木や幅広い生垣など、特殊な状況でしか使用しないが、あれば安全な作業上有利である、但し、高価で、重く、柄が長いため、保管や、移動には不便である。
【課題を解決するための手段】
【０００６】本考案は、安価で、軽量で、単純構造で、安全を考慮した普通型ヘッジトリマの取付け台を作り、この取付け台に、伸縮自在な二重パイプを長柄として固定すれば、ヘッジトリマやバリカンを取付ける装置となる。
【考案の効果】
【０００７】本考案は、既存の普通型電動ヘッジトリマやバリカンを、本考案の取付け装置に装着すれば、高木用として稼働できる、手持ちの普通型一台で、二台分の働きをするので、非常に経済的である、また、特殊な形状でない限り、既存のメーカー品は、大概取付け可能である。
【図面の簡単な説明】
【０００８】
【図１】既存の普通型ヘッジトリマを、取付け装置に装着した姿図。
【図２】ヘッジトリマ叉はバリカンの取付け装置全体図と概略寸法記入図。
【実施例】
【０００９】図１のヘッジトリマを装着した状態で、電源コードを接続すれば、モーターが駆働し、対象の植木に柄の長さを調整すれば、直ぐ剪定作業に掛れる、この試作品で既に数年稼働して、各部の強度や、耐久性を確認した、特に柄である伸縮自在の二重パイプの操作性（ワンタッチで伸縮と固定が出来る）は、作業能率を高める。
【符号の説明】
【００１０】１  電動ヘッジトリマ又はバリカン取付け台
２  伸縮柄（伸縮自在ワンタッチ固定式鋼製パイプ）
３  ボルト固定部補強板
４  蝶ナット付き固定ボルト（主ネジ）
５  蝶ナット付き固定ボルト（補助ネジ）
６  ヘッジトリマ固定バンド（前）（マジックテープ）
７  ヘッジトリマ固定バンド（後）（マジックテープ）
８  既存各種ヘッジトリマ又は、バリカン（メーカーにより、形状、大きさは、多少異なっている）
【図１】
0003163040.tif 000003
【図２】
0003163040.tif 000004
【手続補正書】
【提出日】平成22年7月8日(2010.7.8)
【手続補正１】
【補正対象書類名】実用新案登録請求の範囲
【補正対象項目名】全文
【補正方法】変更
【補正の内容】
【実用新案登録請求の範囲】
【請求項１】
電動ヘッジトリマ又はバリカンが取り付けられる取付け台に、伸縮可能な柄をボルトで固定した、電動ヘッジトリマ又はバリカン取付け装置。
【手続補正２】
【補正対象書類名】明細書
【補正対象項目名】００１０
【補正方法】変更
【補正の内容】
【００１０】１  電動ヘッジトリマ又はバリカン取付け台
２  伸縮柄（伸縮自在ワンタッチ固定式鋼製パイプ）
３  ボルト固定部補強板
４  蝶ナット付き固定ボルト（主ネジ）
５  蝶ナット付き固定ボルト（補助ネジ）
６  ヘッジトリマ固定バンド（前）（マジックテープ（登録商標））
７  ヘッジトリマ固定バンド（後）（マジックテープ（登録商標））
８  既存各種ヘッジトリマ又はバリカン（メーカーにより、形状、大きさは、多少異なっている）